(57)【要約】【課題】  階段の昇り降りに際して、その昇り切り、降り切り、昇り始め、降り始めに時に握り用い得る握り部分を備えるようにして、当該階段を円滑かつ安全に昇り降りし得るようにした手すりを提供する。【解決手段】  階段Ｓに沿った壁Ｗに備えられる手すりＨであって、手すりバー１０と、この手すりバー１０の端部１０ａに一端側を組み付けられると共に他端側を前記壁Ｗの側端面部Ｗｂに取り付けられて前記手すりバー１０と共に握り部を構成する取付具２０とを備えた手すり、及び、前記取付具２０であって該取付具２０が、側端面部Ｗｂに取り付けられる取付パーツ２１と、この取付パーツ２１に対して回動可能に組み付けられる調整パーツ２２とを備えて構成してある。【選択図】図１
2006241679.tif 000002
【特許請求の範囲】
【請求項１】
階段に沿った壁に備えられる手すりであって、手すりバーと、この手すりバーの端部に一端側を組み付けられると共に他端側を前記壁の側端面部に取り付けられて前記手すりバーと共に握り部を構成する取付具とを備えていることを特徴とする手すり。
【請求項２】
請求項１に記載の取付具であって、この取付具が、前記壁の側端面部に取り付けられる取付パーツと、この取付パーツに対して回動可能に組み付けられる調整パーツとを備えていることを特徴とする取付具。
【発明の詳細な説明】
【技術分野】
【０００１】
この発明は、下階と上階とを連絡する階段に沿った壁に備えられる手すりの握り部を、当該階段に沿っている壁面側から当該壁の側端面側に回し込むように設け、階段の昇り降りに際して円滑、かつ、確実に手すりを握り用い得るようにした手すり及び当該手すりを構成する取付具の提供に関する。
【背景技術】
【０００２】
通例、階段の昇り降りを円滑かつ安全になす点から階段に沿って手すりを設け、この手すりを握って当該階段の昇り降りをなすようにしている。
【０００３】
かかる階段に沿って備えられる手すりは、階段の昇り切り時、降り切り時、昇り始め時、降り始め時に、当該手すりを握った状態で動作し得るようにすることによって、これらの各種動作がより円滑かつ安全になし得ることから、階段に沿った壁に備えられている手すりバーに連続する手すりバーを上階や下階の壁等に連続するように設けるようにしている。
【０００４】
かかる手すりバー相互を連結して一連に握り用い得る手すりを構成する連結具が特許文献１に開示されている。
【０００５】
しかしながら、建築面積に対して居室等を極力広めに設けるようにした建築物にあっては、階段まわりの設計に多くの制約がもたらされる傾向にあり、上階や下階において当該階段に沿っている壁に備えられている手すりバーに連続するように手すりバーを設け得ない場合が多々見受けられる。
【特許文献１】特開２０００−５４５８６
【発明の開示】
【発明が解決しようとする課題】
【０００６】
このように階段に沿った壁に備えられている手すりを握って階段の昇り降りをなす場合、当該階段の昇り切り時、降り切り時、昇り始め時、降り始め時に際して都合良く握り用い得る手すり部分が存在せず、手すりを用いないで前記の各動作をなす必要があった。
【０００７】
このように階段の昇り切り時、降り切り時、昇り始め時、降り始め時に、都合良く握り用い得る手すり部分が存在しない場合、例えば、階段からの降り始めにおいて階段上から階段に沿って備えられている手すりに手を延ばして当該手すりを掴んで用いたり、階段の昇り始めにおいて階段に向き合った位置に立って階段に沿っている壁に備えられている手すりに手を延ばして用いたり、階段の昇り切り位置や降り切り位置において階段に沿っている壁に備えられている手すりから手を離した状態で当該階段からの昇り切り動作や、降り切り動作等をなすこととなり、これらの各種動作が不安定となる傾向にあり、高齢者や幼児童等の円滑かつ安全な階段の昇り降りの妨げとなることがあった。
【０００８】
この発明は、階段の昇り降り、特に、階段の昇り切り、降り切り、昇り始め、降り始めに際して、容易かつ確実に握り用い得る握り部を備えた手すり及び当該手すりの構成に用いられる取付具の提供をなそうとするものである。
【課題を解決するための手段】
【０００９】
この発明は、前記課題を解決するために、階段に沿った壁に備えられる手すりであって、手すりバーと、この手すりバーの端部に一端側を組み付けられると共
に他端側を前記壁の側端面部に取り付けられて前記手すりバーと共に握り部を構成する取付具とを備えていることを特徴とする手すりとしてある。
【００１０】
このように構成される手すりにあっては、壁に沿って備えられる手すりバーの端部と当該壁の側端面部との間に手すりバーに連続して握り部を設けることができ、階段の昇り切り、降り切り、昇り始め、降り始め等に際して、この手すりにおける取付具の握り部を都合良く握り用いることができる。
【００１１】
ついで、前記構成に係る手すりにおける取付具が、前記側端面部に取り付けられる取付パーツと、この取付パーツに対して回動可能に組み付けられる調整パーツとを備えていることを特徴とする取付具にあっては、壁の側端面部に対して適宜の形態で取り付けられた取付パーツに対して、手すりバーの設置角度に適合し得るように調整パーツを適宜回動調整して手すりを構成することができる。
【発明の効果】
【００１２】
この発明に係る手すりは、階段に沿った壁に備えられている手すりを、当該階段の昇り切り側や降り切り側において当該壁に連続する壁の無い場合等、連続して備えることができない場合にあっても、昇り切り側、降り切り側における壁の側端面部と手すりバーの端部との間に、当該手すりバーと共に手すりの握り部を構成する取付具を設けることによって、階段の昇り降り、特に、階段の昇り切り、降り切り、昇り始め、降り始め等における各種動作を当該手すりの握り部を握ることによって円滑かつ安全になすことができる。
【発明を実施するための最良の形態】
【００１３】
以下、図１〜図８に基づいて、この発明を実施するための最良の形態に係る手すりＨ及び取付具２０について説明する。
【００１４】
なお、ここで図１は当該発明を実施するための最良の形態に係る手すりＨを備えた階段Ｓの下部側を斜め上方から視て、また、図２では、当該手すりＨを備えた階段Ｓの上部側を上方から視て示している。更に、図３では、当該発明を実施するための最良の形態に係る典型的な手すりＨの手すりバー１０を取付具２０を用いて壁Ｗに取り付けた状態を水平方向で断面して、図４では、この取付具２０及び手すりバー１０の各部品を分離した状態を斜め上方から視て示している。ついで、図５では、当該発明を実施するための最良の形態に係る他の典型的な手すりＨの手すりバー１０を取付具２０を用いて壁Ｗに取り付けた状態を水平方向で断面して、図６では、この取付具２０及び手すりバー１０の各部品を分離した状態を斜め上方から視て示している。図７では、当該発明を実施するための最良の形態に係る更に他の典型的な手すりＨの手すりバー１０を取付具２０を用いて壁Ｗに取り付けた状態を水平方向で断面して、図８では、この取付具２０及び手すりバー１０の各部品を分離した状態を斜め上方から視て示している。
【００１５】
この発明を実施するための最良の形態に係る手すりＨは、階段Ｓに沿った壁Ｗに備えられる手すりＨであって、手すりバー１０と、この手すりバー１０の端部１０ａに一端側を組み付けられると共に他端側を前記壁Ｗの側端面部Ｗｂに取り付けられて前記手すりバー１０と共に握り部を構成する取付具２０とを備えている構成としてある。
【００１６】
このように構成される手すりＨにあっては、壁Ｗに沿って備えられる手すりバー１０の端部１０ａと当該壁Ｗの側端面部Ｗｂとの間に手すりバー１０に連続して握り部を設けることができ、階段Ｓの昇り切り、降り切り、昇り始め、降り始め等に際して、この手すりＨにおける取付具２０の握り部を都合良く握り用いることができる。
【００１７】
ここで用いられる手すりＨの取付具２０は、手すりバー１０を壁Ｗに対して備え付け得ると共に握り部として用い得るものであれば、いかなる形態からなるものであってもよく、また、いかなる素材によって構成してあってもよい。かかる取付具２０は、例えば、前記手すりバー１０への取付部と前記壁Ｗの側端面部Ｗｂへの取付部とを備えると共に各取付部間を平面視でコ字状や湾曲状としたものを用いることができる。
【００１８】
かかる取付具２０は、その一端部側が階段Ｓに沿った壁Ｗに備えられている手すりバー１０に組み付けられ、かつ、他端部側が当該壁Ｗにおける側端面部Ｗｂに組み付けられており、この取付具２０における前記側端面部Ｗｂから突き出すように当該側端面部Ｗｂに組み付けられている部分を前記手すりバー１０に連続される手すりＨの握り部として用い得るようにしてあり、この階段Ｓに沿った壁Ｗにおける側端面部Ｗｂから突設されている取付具２０部分を握って、当該階段Ｓの昇り切り、降り切り、昇り始め、降り始め等の各種階段の昇り降り動作をなすことができる。
【００１９】
また、ここで手すりＨの握り部を手すりバー１０と共に構成する取付具２０は、当該手すりバー１０の両端部に備えられて手すりＨを構成するようにしてあってもよく、また、当該手すりバー１０における一端部側にのみ備えられて手すりＨを構成するようにしてあってもよい。
【００２０】
かかる手すりバー１０の取付具２０は、例えば、鉄、胴、アルミニウム等の各種の金属材料、例えば、ステンレススチール等によって構成することができる。また、かかる取付具２０は、プラスチックや繊維補強プラスチック等のプラスチック系素材によって構成することができる。また、ここで用いられる取付具２０は更に各種の複合素材によって構成することができる。
【００２１】
また、かかる手すりバー１０の取付具２０は、棒状体によって構成してあっても、また管状体によって構成してあってもよい。例えば、湾曲状に屈曲されている棒状体によって構成したり、コ字状に屈曲されている棒状体によって構成することができる。更に、例えば、湾曲状に屈曲されている管状体によって構成したり、コ字状に屈曲している管状体によって構成することができる。
【００２２】
かかる取付具２０は、より典型的には、階段Ｓに沿っている壁Ｗに備えられる手すりバー１０の端部１０ａと、当該壁Ｗの側端面部Ｗｂとの間にわたって、当該側端面部Ｗｂから突き出し、しかも、前記手すりバー１０の延長方向に向けて延びて当該手すりバー１０の端部１０ａに到る平面視で弧状に湾曲またはコ字状に屈曲した構成としてある。
【００２３】
なお、ここで壁Ｗの側端面部Ｗｂとは、壁Ｗの厚さ方向にわたる面、すなわち、壁Ｗの表裏をなす一対の面Ｗａ、Ｗａ間を連絡する面として当該壁Ｗの側端に備えられる面部Ｗｂを意味している。
【００２４】
このように構成される手すりＨにあっては、壁Ｗの面Ｗａに沿って備えられる手すりバー１０の端部１０ａと当該壁Ｗの側端面部Ｗｂとの間に手すりバー１０と共に握り部を構成する取付具２０を必要に応じて備え付け、階段Ｓの昇り切り、降り切り、昇り始め、降り始め等に際して、この手すりＨの握り部を握って当該各種の動作をなすことができる。
【００２５】
かかる手すりバー１０に備え付けられる取付具２０は、一個のパーツによって構成してあっても、複数個のパーツによって構成してあってもよい。
【００２６】
また、前記構成に係る手すりＨにおける前記取付具２０が、前記側端面部Ｗｂに取り付けられる取付パーツ２１と、この取付パーツ２１に対して回動可能に組み付けられる調整パーツ２２とを備えている構成の取付具２０にあっては、当該取付具２０を、壁Ｗの側端面部Ｗｂに対して適宜の形態で取り付けられた取付パーツ２１に対して、手すりバー１０の設置角度に適合し得るように調整パーツ２２を適宜回動調整して用いることができる。
【００２７】
かかる取付パーツ２１と調整パーツ２２は、この取付パーツ２１に対して調整パーツ２２を回動可能に組み付けてあれば、いかなる形態に構成してあっても、また、いかなる回動手段からなるものであってもよく、取付パーツ２１に対して調整パーツ２２を直接、回動可能に組み付けてあっても、また、取付パーツ２１に対して適宜の連結手段２３を介して調整パーツ２２を回動可能に組み付けてあってもよい。
【００２８】
まず、図１〜図４に示される典型的な取付具２０および手すりバー１０を用いた手すりＨについて具体的に説明する。
【００２９】
この図１〜図４に示される手すりＨは、階段Ｓに沿った壁Ｗに備えられる手すりＨであって、手すりバー１０と、この手すりバー１０の端部１０ａに一端側を組み付けられると共に他端側を前記壁Ｗの側端面部Ｗｂに取り付けられて前記手すりバー１０と共に握り部を構成する取付具２０とを備えており、この図示例にあっては、前記壁Ｗに対して適宜手すり金具１１を用いて手すりバー１０を支持してあると共に、前記取付具２０を、前記側端面部Ｗｂに取り付けられる取付パーツ２１と、この取付パーツ２１に対して回動可能に組み付けられる調整パーツ２２とを備えた構成としてある。
【００３０】
ここで用いられる取付具２０は、下階と上階の各床部Ｆを連絡する階段Ｓに沿っている壁Ｗに手すりバー１０を備え設ける際に用いられるものであり、就中、当該階段Ｓの下側、上側又は上下両側において前記階段Ｓに沿って備えられる手すりバー１０に連続するように手すりを設け得る壁等が存在しない場合において、当該壁Ｗに備えられる手すりバー１０の端部１０ａと該壁Ｗの側端面部Ｗｂとの間に前記取付具２０を組み付けるようにして、前記手すりバー１０と当該取付具２０とによって一連に連続した手すりＨの握り部を構成するものである。
【００３１】
このように壁Ｗの側端面部Ｗｂに組み付けられる取付具２０によって手すりＨの握り部を構成することによって、手すりバー１０を握った階段Ｓの昇り降りに際して、この手すりバー１０に対する握り動作の延長上において当該取付具２０を握り用いることができ、この階段Ｓに沿っている壁Ｗの面Ｗａから当該壁Ｗの側端面部Ｗｂに向けて屈曲または湾曲するように備えられる当該取付具２０を握り用いることによって、階段Ｓを円滑、かつ、安全に昇り切り、あるいは、降り切ることができ、階段Ｓから円滑かつ安全に上階や下階の床部Ｆに移動することができる。また、この階段Ｓに沿っている壁Ｗの面Ｗａから当該壁Ｗの側端面部Ｗｂに向けて屈曲または湾曲するように備えられる当該取付具２０を握り用いることによって、当該階段の昇り始め、降り始めの各動作を円滑かつ安全になすことことができる。
【００３２】
かかる手すりＨを構成する取付具２０は、この図示例にあっては、手すりバー１０に直交する向きにある管部と、この管部の両端から屈曲して当該手すりバー１０に平行な向きに延設されている一対の管部とを備えた平面視でコ字状をなす構成としてあり、壁Ｗの面Ｗａに対して平行に備えられる手すりバー１０の端部１０ａを該取付具２０における一方側の前記管部に組み付けると共に、他方側の管部端を壁Ｗの側端面部Ｗｂに止着することによって、この壁Ｗに備えられる手すりバー１０に連続して当該壁Ｗの側端面部Ｗｂに到る握り部を備えた手すりＨを構成するようにしてあり、この取付具２０における壁Ｗの側端面部Ｗｂに平行をなす部分、この図示例にあっては、当該側端面部Ｗｂに平行をなす管部を握って、階段Ｓに対する昇り始め、降り始め等の昇り降りの各動作をなし得ると共に、この階段Ｓの昇り切り、降り切りに際して、手すりバー１０に連続して当該壁Ｗの側端面部Ｗｂに平行をなす取付具２０部分を握りながら当該階段Ｓの上階の床部Ｆや、下階の床部Ｆに当該階段Ｓから移動することができる。
【００３３】
この図示例にあっては、当該取付具２０を壁Ｗの側端面部Ｗｂに止着する取付パーツ２１と、この取付パーツ２１に対して回動可能に組み付けられ、かつ、手すりバー１０を組み付け得る調整パーツ２２とを備えた構成としてある。
【００３４】
この図示例に係る取付具２０を構成する取付パーツ２１及び調整パーツ２２は、前記手すりバー１０の端部１０ａを受け入れて当該手すりバー１０を組み付けた際に、この手すりバー１０に連続して手すりＨの握り部を構成し得る形態を備えたものとしてあり、この図示例にあっては、ほぼ丸棒状をなす手すりバー１０の端部１０ａを受け入れ得る円管状体によって構成してあり、この取付具２０をなす管状体に手すりバー１０の端部１０ａを嵌め入れて、この取付具２０に止着することによって、手すりバー１０に一連に連続した握り部を有する手すりＨを構成し得るようにしてある。
【００３５】
この図示例に係る取付パーツ２１は、取付管部２１’Ａと、この取付管部２１’Ａからほぼ直角に屈曲された屈曲管部２１’Ｂとを備えた断面が円形の管状体２１’によって構成してある。そして、この管状体２１’は、その各管部の両端を側端板状部２１’ａとして塞がれた構成としてあると共に、屈曲部の外側部分に取付管部２１’Ａと屈曲管部２１’Ｂとにわたるように開口部２１’ｂが設けてあり、この開口部２１’ｂを蓋部材２６によって塞ぎ得る構成としてある。
【００３６】
このように構成される取付パーツ２１における取付管部２１’Ａ側の側端板状部２１’ａを取付対象とされる壁Ｗの側端面部Ｗｂに当該取付パーツ２１が水平をなすように押し当て、前記開口部２１’ｂを用いて、当該側端板状部２１’ａに設けられている孔２１’ｃから木ねじ２５を壁Ｗにねじ入れて当該取付パーツ２１を壁Ｗから直角に突き出すように止着する。
【００３７】
なお、この図示例に係る壁Ｗは、各種壁Ｗの一例を示したものであって、３０は柱を、３１はボードを示している。
【００３８】
また、前記側端板状部２１’ａで壁Ｗの側端面部Ｗｂに取付らる取付パーツ２１の屈曲管部２１’Ｂ側にある側端板状部２１’ａに前記開口部２１’ｂから操作し得る連結手段２３の一部をなす雄ねじ２３’ｂの差し入れ孔２１’ｄが設けられている。また、前記開口部２１’ｂは、当該取付パーツ２１を壁Ｗに止着し、かつ、調整パーツ２２に組み付けた後にあっては、前記蓋部材２６によって塞ぐようにしてあり、前記開口部２１’ｂの開口縁に対して弾性的に接するように当該蓋部材２６に備えられている弾性係合片２６ａの爪２６ａ’を開口部２１’ｂ縁に連続している内側面に引っ掛けるようにしてある。
【００３９】
かかる取付パーツ２１に連結して用いられる調整パーツ２２は、前記取付パーツ２１に組み付けられて、前記取付パーツ２１と共に平面視でほぼコ字状の取付具２０を構成するものであって、手すりバー１０の端部１０ａを受け入れる取付管部２２’Ａと当該取付管部２２’Ａからほぼ直角をなすように屈曲された屈曲管部２２’Ｂとを備えた断面が円形の管状体２２’によって構成してある。そして、この管状体２２’は、その取付管部２２’Ａの側端が開口２２’ｂしてあると共に屈曲管部２２’Ｂの側端側を側端板状部２２’ａによって塞がれた構成としてあり、この側端板状部２２’ａに連結手段２３をなす雌ねじ部２３’ａを設けてある。
【００４０】
かかる構成からなる調整パーツ２２を、この調整パーツ２２における前記側端板状部２２’ａを前記取付パーツ２１の屈曲管部２１’Ｂの側端板状部２１’ａに密着状態になすと共に、前記開口部２１’ｂを利用して連結手段２３をなす雄ねじ２３’ｂを前記孔２１’ｄから他方の連結手段２３を構成する雌ねじ部２３’ａにねじ入れることによって、取付パーツ２１に対して回動可能に組み付ける。  
【００４１】
このように取付管部２１’Ａの側端板状部２１’ａにおいて壁Ｗの側端面部Ｗｂに止着される取付パーツ２１に対して回動可能に調整パーツ２２を組み付け、平面視においてほぼコ字状をなすように構成される取付具２０における当該調整パーツ２２の直管状をなす取付管部２２’Ａの開口２２’ｂから手すりバー１０の端部１０ａを受け入れ得るように、この調整パーツ２２を取付パーツ２１に対して回動、調整し、この管状体２２’における開口２２’ｂの向きを手すりバー１０の向きとし、当該管状体２２’内に手すりバー１０の端部１０ａを受け入れて、該管状体２２’に設けられている孔２２’ｃからねじ２８をねじ入れて当該取付具２０と手すりバー１０を連結する。
【００４２】
このように構成される取付具２０にあっては、一種類の当該取付具２０を、手すりバー１０の上端部側の端部１０ａに対しても、下端部側の端部１０ａに対しても組み付け用いることができる。また、かかる取付具２０にあっては、壁Ｗに備え付けられている前記手すりバー１０の上端位置や下端位置にずれのある場合においても、当該手すりバー１０における端部１０ａを前記直管状をなす取付管部２２’Ａ内に受け入れて、当該位置ずれを吸収した態様で取り付けることができる。
【００４３】
かかる手すりバー１０と取付具２０相互の組み付けは、施工現場における都合に対応して、手すりバー１０と取付具２０とを組み付けた後に当該手すりバー１０と取付具２０とを壁Ｗに備え付けるようにしてあっても、また、手すりバー１０を前もって壁Ｗに備え付け、この壁Ｗに備え付けられている手すりバー１０に対して取付具２０を組み付けるようにしてあっても、さらに、壁Ｗに備えられている取付具２０に対して手すりバー１０を組み付けるようにしてあってもよい。
【００４４】
さらに、前記図示例におけるように取付具２０を取付パーツ２１と調整パーツ２２とに二分した構成にあっては、これらの各取付パーツ２１、調整パーツ２２、手すりバー１０を施工現場における施工手順に都合のよい任意の順序で組み付け、かつ、壁Ｗに対して施工現場における都合に対応した任意の順序で取り付けることができる。
【００４５】
例えば、取付パーツ２１と調整パーツ２２とを前もって組み付け用意し、この取付パーツ２１と調整パーツ２２の組み付けられた取付具２０を前もって壁Ｗの側端面部Ｗｂに取付け、あるいは、この取付具２０を前もって手すりバー１０に組み付け用意し、あるいは、壁Ｗに前もって備えられている手すりバー１０に対して当該取付具２０を組み付けて側端面部Ｗｂに止着するようにしてあってもよい。
【００４６】
また、例えば、取付パーツ２１を側端面部Ｗｂに止着した状態で、この取付パーツ２１に対して、調整パーツ２２を手すりバー１０を備えた状態、あるいは、手すりバー１０を備えていない状態、さらには、壁Ｗに備え付けられている手すりバー１０の端部１０ａを受け入れるようにして組み付けるようにしてあってもよい。
【００４７】
また、例えば、壁Ｗに備えられている手すりバー１０に調整パーツ２２を組み付けた状態で、この調整パーツ２２に取付パーツ２１を組み付け、かつ、側端面部Ｗｂに止着するようにしてあってもよい。
【００４８】
かかる取付具２０による手すりバー１０端部１０ａの壁Ｗの側端面部Ｗｂに対する取付は、前記調整パーツ２２の取付パーツ２１に対する組み付け角度を任意の角度に設定し得ることから、それぞれの階段Ｓに特有の傾斜に適合するように手すりバー１０を壁Ｗに設置することができる。
【００４９】
この図示例にあっては、丸棒状をなす手すりバー１０と側端面部Ｗｂとの間に取付具２０を設け、この手すりバー１０と取付具２０とによって、手すりＨの握り部を一連に連続するように構成することができ、図１及び図２に示されるように階段Ｓに沿った壁Ｗに連続してドアＤ等が備えられている場合にあっても、前記階段に沿った壁Ｗに備えられている手すりＨに連続する握り部を当該取付具２０によって、この階段Ｓに沿った壁Ｗの側端面部Ｗｂ側に到るように設けることができる。
【００５０】
特に、前記図示例にあっては、取付具２０を平面視においてコ字状をなす形態としてあり、しかも、この取付具２０を構成する取付パーツ２１を壁Ｗの側端面部Ｗｂ、すなわち、階段Ｓに沿っている壁Ｗの面Ｗａから離れた状態、より具体的には、壁Ｗの側端面部Ｗｂのほぼ中程において当該壁Ｗに止着してある。
【００５１】
かかる取付パーツ２１の壁Ｗに対する取付け態様にあっては、階段Ｓに沿っている手すりＨの握り部に連続するように当該階段Ｓの昇り降り方向に交差する向きの握り部、より具体的には、階段Ｓの昇り降り方向に直交する向き、この図示例にあっては、前記壁Ｗの側端面部Ｗｂに平行な手すりＨの握り部分が前記屈曲管部２１’Ｂ及び２２’Ｂによってほぼ水平向きに構成され、この壁Ｗの側端面部Ｗｂに平行で、かつ、ほぼ水平な握り部を握って、当該階段Ｓの昇り始め、降り始め、昇り切り、降り切り等の各種動作をなすことができる。
【００５２】
ついで、図５及び図６に示される当該発明を実施するための他の最良の形態に係る手すりＨ及び当該手すりＨを構成する取付具２０について具体的に説明する。
【００５３】
この図５及び図６に示される手すりＨ及び取付具２０は、取付パーツ２１と調整パーツ２２とを連結する連結手段２３及び当該取付パーツ２１を壁Ｗの側端面部Ｗｂに対して取付補助具２４を用いて取り付けるようにすると共に、当該構成に必要な構成を取付パーツ２１と調整パーツ２２に備えるようにした以外の構成を前記図１〜図４に示される手すりＨ及び取付具２０の構成と同一または実質的に同一の構成としてあり、同様にして階段Ｓに沿った壁Ｗに備え設けることができ、しかも、前記図１〜図４に示される手すりＨ及び取付具２０におけると同様にして用いることができる。
【００５４】
従って、この図５及び図６に示される手すりＨ及び取付具２０の説明において、前記図１〜図４で示される手すりＨ及び取付具２０と同一または実質的に同一の構成部分には、同一の番号を付して、その説明を省略する。
【００５５】
この図５及び図６に示される手すりＨ及び取付具２０は、階段Ｓに沿った壁Ｗに備えられる手すりＨであって、手すりバー１０と、この手すりバー１０の端部１０ａに一端側を組み付けられると共に他端側を前記壁Ｗの側端面部Ｗｂに取り付けられて前記手すりバー１０と共に握り部を構成する取付具２０とを備えており、この図示例にあっては、前記壁Ｗに対して適宜手すり金具１１を用いて手すりバー１０を支持してあると共に、前記取付具２０を、前記側端面部Ｗｂに取り付けられる取付パーツ２１と、この取付パーツ２１に対して回動可能に組み付けられる調整パーツ２２とを備えた構成としてある。
【００５６】
かかる手すりＨにおける取付パーツ２１は、ほぼ直角に屈曲された管状体２１”によって構成してあり、この管状体２１”は、壁Ｗの側端面部Ｗｂからほぼ水平に突き出す取付管部２１”Ａと、この側端面部Ｗｂに対して平行に備えられる屈曲管部２１”Ｂとを備えた構成としてあって、取付管部２１”Ａ側の管端が開口２１”ｂしてあり、取付補助具２４の筒状嵌め合部２４ｂが密に嵌め入れられるようにしてあると共に、屈曲管部２１”Ｂ側の管端が内周縁に沿って内向きの鍔２１”ａ’を有する開口２１”ａを備えた構成としてあり、この開口２１”ａに嵌め入れられる連結手段２３における弾性係合片２３”ｂの爪２３”ｂ’が当該鍔２１”ａ’に引っ掛かる構成としてある。
【００５７】
かかる取付パーツ２１を壁Ｗの側端面部Ｗｂに取り付ける取付補助具２４は、円盤体２４ａの一方の面部側に筒状嵌め合部２４ｂを突き出し状態で備え、この筒状嵌め合部２４ｂの筒状部に雄ねじ２７のねじ込まれる雌ねじ孔２４ｄを設けてあると共に、前記円盤体２４ａにおける該筒状嵌め合部２４ｂの外方部分に木ねじ２５の挿通孔２４ｃが設けてある。
【００５８】
かかる構成からなる取付補助具２４の円盤体２４ａを壁Ｗの側端面部Ｗｂに添装し、前記孔２４ｃから壁Ｗに木ねじ２５をねじ入れて当該取付補助具２４を止着する。また、この取付補助具２４における筒状嵌め合部２４ｂを取付パーツ２１の開口２１”ｂから嵌め入れると共に、取付管部２１”Ａに備えられている孔２１”ｃから当該筒状嵌め合部２４ｂの雌ねじ孔２４ｄに雄ねじ２７をねじ入れて取付補助具２４と取付パーツ２１とを組み付ける。
【００５９】
また、前記取付具２０を構成する調整パーツ２２は、ほぼ直角に屈曲されている管状体２２”によって構成してあり、取付管部２２”Ａと、屈曲管部２２”Ｂとを備えた構成としてある。そして、この取付管部２２”Ａ側の管端が開口２２”ｂしてあると共に、屈曲管部２２”Ｂ側の管端の開口２２”ａの開口縁の内側に沿った円周方向に中央側に向けて突き出す鍔２２”ａ’が設けてあり、この鍔２２”ａ’を用いて前記連結手段２３における弾性係合片２３”ｂを引っ掛け得るようにしてある。
【００６０】
かかる取付パーツ２１に対して調整パーツ２２を回動可能に連結する連結手段２３は、円盤体２３”ａの両面部にそれぞれ弾性係合片２３”ｂを環状をなすように突設した構成としてあり、この各弾性係合片２３”ｂには、その上端部から外方に向けて突き出す爪２３”ｂ’が設けてある。
【００６１】
この環状に列設されている弾性係合片２３”ｂを取付パーツ２１における屈曲管部２１”Ａの開口２１”ａから鍔２１”ａ’によって弾性変形させながら当該管部内に押し入れ、爪２３”ｂ’が該鍔２１”ａ’を越えて当該管部内に入れ込まれ、弾性復帰されて鍔２１”ａ’に引っ掛けられる。
【００６２】
また、この連結手段２３における円盤体２３”ａの他方の面に環状をなすように列設されている弾性係合片２３”ｂを調整パーツ２２における屈曲管部２２”Ｂの開口２２”ａから鍔２２”ａ’によって弾性変形させながら当該管部内に押し入れ、爪２３”ｂ’が該鍔２２”ａ’を越えて当該管部内に入れ込まれ、弾性復帰されて鍔２２”ａ’に引っ掛けられる。
【００６３】
また、取付パーツ２１に対して回動可能に組み付けられる調整パーツ２２の取付管部２２”Ａの開口２２”ｂから手すりバー１０の端部１０ａを当該管部内に密に嵌め入れ、この管部に備えられている孔２２”ｃからねじ２８を手すりバー１０にねじ入れて調整パーツ２２と手すりバー１０とを組み付ける。
【００６４】
このように構成される取付具２０にあっては、一種類の当該取付具２０を、手すりバー１０の上端部側の端部１０ａに対しても、下端部側の端部１０ａに対しても組み付け用いることができる。また、かかる取付具２０にあっては、壁Ｗに備え付けられている前記手すりバー１０の上端位置や下端位置にずれのある場合においても、当該手すりバー１０における端部１０ａを前記直管状をなす取付管部２２”Ａ内に受け入れて、当該位置ずれを吸収した態様で取り付けることができる。更に、前記取付パーツ２１と調整パーツ２２とを同寸・同形状に構成することによって、手すりバー１０等に対していずれの向きからでも組み付け得る取付具２０とすることができる。
【００６５】
このように構成される手すりＨにあっては、取付具２０を手すりバー１０に対して、先に組み付けてあっても、また、当該取付具２０を壁Ｗの側端面部Ｗｂに対して先に組み付けてあっても、また、壁Ｗに手すりバー１０を先に組み付け、この壁Ｗに備えられている手すりバー１０と壁Ｗの側端面部Ｗｂとに対して当該取付具２０を組み付けるようにしてあってもよい。
【００６６】
また、かかる手すりＨにあっては、前記取付パーツ２１と調整パーツ２２と手すりバー１０とは、前記構成をなすように組み付け得るものであれば、いかなる順序で組み付けられていてもよく、手すりＨの施工現場の状況に適宜対応した取付順序において組み付けることができる。
【００６７】
この図示例にあっては、前記取付パーツ２１の管状体２１”と、調整パーツ２２の屈曲管部２２”Ｂとがほぼ水平をなすように壁Ｗの側端面部Ｗｂに取り付けてあり、しかも、この取付具２０における屈曲管部２１”Ｂ及び屈曲管部２２”Ｂとが壁Ｗの側端面部Ｗｂに平行をなすようにしてあり、手すりバー１０に連続して備えられる水平な当該屈曲管部２２”Ｂ及び屈曲管部２１”Ｂを握って、階段Ｓの昇り降り動作、特に、階段Ｓの昇り切り、降り切り、昇り始め、降り始め等における各動作を円滑かつ安全になすことができる。
【００６８】
ついで、図７及び図８に示される当該発明を実施するための最良の形態に係るさらに他の典型的な手すりＨ及び取付具２０について具体的に説明する。
【００６９】
この図示例に係る手すりＨ及び取付具２０は、階段Ｓに沿った壁Ｗに備えられる手すりＨであって、手すりバー１０と、この手すりバー１０の端部１０ａに一端側を組み付けられると共に他端側を前記壁Ｗの側端面部Ｗｂに取り付けられて前記手すりバー１０と共に握り部を構成する取付具２０とを備えており、この図示例にあっては、前記壁Ｗに対して適宜手すり金具１１を用いて手すりバー１０を支持してあると共に、前記取付具２０を、前記側端面部Ｗｂに取り付けられる取付パーツ２１と、この取付パーツ２１に対して回動可能に組み付けられる調整パーツ２２とを備えた構成としてある。
【００７０】
この図示例において手すりＨを構成する取付具２０は、湾曲管状体２１Ｃを備える取付パーツ２１と、湾曲管状体２２Ｃを備える調整パーツ２２とを備えており、この取付パーツ２１に対して調整パーツ２２を回動可能に組み付けた状態で、この取付具２０が平面視で、ほぼ半円状をなすように構成してある。
【００７１】
かかる手すりＨにおける取付パーツ２１は、ほぼ円弧の四分の一の湾曲管状体２１Ｃによって構成してあり、その一端側を取付補助具２４の組み付けられる開口２１Ｃｂとしてあり、他端側を、連結手段２３の弾性係合片２３”ｂの組み付けられる鍔２１Ｃａ’を内側の円周方向に備えた開口２１Ｃａとしてある。
【００７２】
また、この取付パーツ２１に対して回動可能に組み付けられる調整パーツ２２は、ほぼ円弧の四分の一の湾曲管状体２２Ｃによって構成してあり、その一端側を手すりバー１０の端部１０ａの組み付けられる開口２２Ｃｂとしてあり、他端側を、連結手段２３の弾性係合片２３”ｂの組み付けられる鍔２２Ｃａ’を内側の円周方向に備えた開口２２Ｃａとしてある。
【００７３】
かかる取付パーツ２１と調整パーツ２２の連結に用いられる連結手段２３は、この連結手段２３を構成する弾性係合片２３”ｂの爪２３”ｂ’を当該取付パーツ２１及び調整パーツ２２の各鍔２１Ｃａ’、２２Ｃａ’に引っ掛けるようにして当該取付パーツ２１に対して調整パーツ２２を回動可能に組み付けるものであって、前記図５及び図６において示された取付具２０における連結手段２３と実質的に同一の構成としてあり、同様にして当該取付パーツ２１に対して調整パーツ２２を回動可能に組み付け得るものであり、同一または実質的に同一の構成部分に同一の番号を付して、その説明を省略する。
【００７４】
かかる取付具２０を構成する取付パーツ２１は、前記図５及び図６において用いられる取付補助具２４と同一または実質的に同一の構成からなる取付補助具２４を用いて壁Ｗの側端面部Ｗｂに取り付けてあり、その開口２１Ｃｂから取付補助具２４における筒状嵌め合部２４ｂを密に嵌め入れ、当該取付パーツ２１に備えられている孔２１Ｃｃから当該取付補助具２４の筒状嵌め合部２４ｂに備えられている雌ねじ孔２４ｄに雄ねじ２７をねじ入れて止着するようにしてある。かかる取付補助具２４の構成及び当該取付補助具２４を用いた取付パーツ２１の取付けは前記図５及び図６に示される取付補助具２４の構成及び取付方法と同一または実質的に同一であり、同一の構成部分に同一の番号を付して、その説明を省略する。
【００７５】
また、前記図５及び図６において示される手すりＨと同様に、調整パーツ２２の開口２２Ｃｂに手すりバー１０の端部１０ａを密に嵌め入れると共に、当該調整パーツ２２に備えられている孔２２Ｃｃからねじ２８を該手すりバー１０にねじ入れて当該手すりバー１０に調整パーツ２２を止着する構成としてあり、同一の構成部分には同一の番号を付して、その説明を省略する。
【００７６】
このように構成される取付具２０にあっては、一種類の当該取付具２０を、手すりバー１０の上端部側の端部１０ａに対しても、下端部側の端部１０ａに対しても組み付け用いることができる。また、前記取付パーツ２１と調整パーツ２２とを同寸・同形状に構成することによって、手すりバー１０等に対していずれの向きからでも組み付け得る取付具２０とすることができる。
【００７７】
このようにして壁Ｗに備えられる手すりバー１０の端部１０ａと、壁Ｗの側端面部Ｗｂ間に備えられる取付具２０は、手すりバー１０に連続する手すりＨの握り部として前記図５及び図６に示される手すりＨと同様にして用いることができる。
【００７８】
かかる構成からなる取付具２０における取付パーツ２１を壁Ｗの側端面部Ｗｂに対して当該側端面部Ｗｂから水平に突き出すように備え付けることによって、手すりＨの端部に湾曲管状体２２Ｃの一部と湾曲管状体２１Ｃとからなる水平な握り部を設けることができる。
【図面の簡単な説明】
【００７９】
【図１】典型的な手すりＨを壁Ｗに備え付けた状態の要部の斜視図
【図２】他の典型的な手すりＨを壁Ｗに備え付けた状態の要部の斜視図
【図３】典型的な手すりＨの備え付け状態を示す要部の断面図
【図４】同部品の分離斜視図
【図５】他の典型的な手すりＨの備え付け状態を示す要部の断面図
【図６】同部品の分離斜視図
【図７】更に他の典型的な手すりＨの備え付け状態を示す要部の断面図
【図８】同部品の分離斜視図
【符号の説明】
【００８０】
Ｈ  手すり
Ｗ  壁
Ｗｂ  側端面部
Ｓ  階段
１０  手すりバー
１０ａ  端部
２０  取付具
２１  取付パーツ
２２  調整パーツ
【図１】
2006241679.tif 000003
【図２】
2006241679.tif 000004
【図３】
2006241679.tif 000005
【図４】
2006241679.tif 000006
【図５】
2006241679.tif 000007
【図６】
2006241679.tif 000008
【図７】
2006241679.tif 000009
【図８】
2006241679.tif 000010